(57)【要約】【課題】表示面の均斉度を高めて視認性を向上させ、構成の簡易化によりコストを低減することができる表示器を提供する。【解決手段】本体１１０には、各ＬＥＤ１２１から照射された直接光を表示パネル１０１の背面側へ拡散反射する光反射面部１１３が設けられ、光反射面部１１３は、各ＬＥＤ１２１からの直接光の各部分を受けて配光制御する反射面１１４を有する。反射面１１４は、表示パネル１０１の垂直方向および水平方向に自由曲面で配光制御する複数の反射領域１１４ａ〜１１４ｄに区画されている。【選択図】図１
2018067129.tif 000002
【特許請求の範囲】
【請求項１】
光源からの光を受けて発光し各種情報を表示する表示パネルと、該表示パネルを保持すると共に前記光源を取り付ける本体と、を備えた表示器において、
前記光源である複数の発光素子は、前記表示パネルの上辺の背面側に沿って互いに間隔をあけて配列し、それぞれ下方へ光を照射する向きで前記本体に取り付けられ、
前記本体には、前記各発光素子から照射された直接光を前記表示パネルの背面側へ拡散反射する光反射面部が設けられ、
前記光反射面部は、前記各発光素子からの直接光の各部分を受けて配光制御する反射面を有し、
前記反射面には、前記表示パネルの垂直方向の配光制御に関して、前記各発光素子からの直接光の一部を、前記表示パネルの背面のうち表示領域の下側部分に集光して反射する反射領域が設けられたことを特徴とする表示器。
【請求項２】
前記反射面には、前記表示パネルの水平方向の配光制御に関して、前記各発光素子からの直接光の一部を、前記表示パネルの背面のうち各発光素子の間に集光して反射する反射領域が、各発光素子ごとに対応して設けられたことを特徴とする請求項１に記載の表示器。
【請求項３】
前記反射面は、前記本体の上端の背面側で前記発光素子の後方より前記本体の下端の背面側に向かって連なる放物線の垂直断面形状であり、その上側部分は、前記放物線の途中より後方へ屈曲した別の曲線ないし直線の垂直断面形状であることを特徴とする請求項１または２に記載の表示器。
【請求項４】
前記本体における上端側に、前記各発光素子からの直接光のうち前記表示パネルの背面の上側部分に入射する一部を遮るための遮光部が設けられたことを特徴とする請求項１，２または３に記載の表示器。
【請求項５】
前記反射面は、金属の蒸着により鏡面加工されていることを特徴とする請求項１，２，３または４に記載の表示器。
【請求項６】
前記本体は、前記表示パネルの背面に合わさる正面壁部と、該正面壁部の周囲を残して背面側へ窪むように設けられた前記光反射面部と、該光反射面部の上端側にて、前記発光素子であるＬＥＤを一列に配列したＬＥＤ基板を、前記表示パネルの背面と直角となる状態に取り付ける基板取付部と、を備えたことを特徴とする請求項１，２，３，４または５に記載の表示器。
【請求項７】
前記表示器は、歩行者用信号灯器に付帯する押ボタン箱に備えられ、
前記本体は、保持した前記表示パネルが、前記押ボタン箱の前面部に開設された開口部に内側から合致した状態で前面部の裏側に固定され、
前記表示パネルに表示する各種情報は、前記歩行者用信号灯器の作動ないし前記押ボタン箱の操作に関する文字であることを特徴とする請求項１，２，３，４，５または６に記載の表示器。
【発明の詳細な説明】
【技術分野】
【０００１】
本発明は、光源からの光を受けて発光し各種情報を正面に表示する表示パネルと、該表示パネルを背面側から保持すると共に前記光源を取り付ける本体と、を備えた表示器に関する。
【背景技術】
【０００２】
従来より、この種の表示パネルを備えた表示器は様々な分野で活用されており、例えば、歩行者用信号灯器に付設される押ボタン箱に用いられている。本件出願人は、特許文献１，２に開示されたように、表示器を備えた押ボタン箱を既に提案している。かかる押ボタン箱における表示器は、図２８および図２９に示すように、他の一般的な押ボタン箱１の表示器４と同様に、ＬＥＤからの光を受けて発光し各種情報を表示する表示パネル５と、該表示パネル５を背面側から保持すると共にＬＥＤ基板６を取り付ける本体４ａとを有していた。
【０００３】
図２８に示すように、一般的な押ボタン箱１では、その筐体２の前面ケース３に、表示パネル５の正面を裏側から合致させる開口部３ａが開設されている。表示器４は、表示パネル５の正面が前記開口部３ａに合致する状態で、本体４ａと表示パネル５の両側端がそれぞれネジ止めされる。なお、表示パネル５の正面の周囲と前面ケース３の内壁との間には、防水用のパッキン７が介装されていた。
【０００４】
図２９に示すように、表示器４の本体４ａには、表示パネル５の背面に合わさる正面壁部より背面側に窪むように光反射面部４ｂが設けられている。ＬＥＤ基板６は、光反射面部４ｂの上端側で、表示パネル５の背面に対し直角となる状態に取り付けられる。このような表示器４では、ＬＥＤからの光を光反射面部４ｂで反射拡散させて表示パネル５に出射するように、垂直方向への配光制御を行っていた。なお、表示パネル５の背面には、文字部分だけ光るように印刷されたシート５ａが重ねられている。
【先行技術文献】
【特許文献】
【０００５】
【特許文献１】意匠登録第１５１４９０９号公報
【特許文献２】意匠登録第１５１８４６９号公報
【発明の概要】
【発明が解決しようとする課題】
【０００６】
しかしながら、前記表示器４では、ＬＥＤからの光を垂直方向へ配光制御して側方の表示パネル５に出射していたが、単に光の方向転換だけを意図しており、ＬＥＤの指向特性や表示パネル５における光強度の分布等は特に考慮していなかった。そのため、ＬＥＤに近い表示パネル５の上部では明るく、ＬＥＤから遠い表示パネル５の下部では暗くなる傾向が強い。従って、ＬＥＤの点灯時に表示パネル５の正面より文字を見ると、均斉度が低く文字を読みづらい虞があった。
【０００７】
また、前記表示器４では、光反射面部４ｂが垂直方向のみ配光制御を行うように設計されており、特に表示パネル５の水平方向への配光制御は行っていなかった。そのため、表示パネル５の水平方向（左右方向）へ隈無く光が届くように、ＬＥＤ基板６上にはＬＥＤを狭い間隔で密に配置して、各ＬＥＤごとの照射範囲の広がりだけに頼って、表示パネル５の水平方向への照射を行っていた。
【０００８】
このように、表示パネル５の水平方向への配光が無制御である場合、多くのＬＥＤを密に配置する必要があり、製品単価のコストアップを招いてしまう。従って、コスト低減のために、より少ない数のＬＥＤによって、従来と同等以上の表示性能を実現するための工夫が望まれていた。
【０００９】
本発明は、以上のような従来の技術の有する問題点に着目してなされたものであり、表示面の垂直方向における均斉度を高めて表示内容の視認性をいっそう向上させることができ、また、表示面の水平方向における表示性能を維持しつつ、簡易な構成により光源数を減らしてコストを低減することができる表示器を提供することを目的とする。
【課題を解決するための手段】
【００１０】
前述した目的を達成するための本発明の要旨とするところは、以下の各項の発明に存する。
［１］光源（１２０）からの光を受けて発光し各種情報を表示する表示パネル（１０１）と、該表示パネル（１０１）を保持すると共に前記光源（１２０）を取り付ける本体（１１０）と、を備えた表示器（１００）において、
前記光源（１２０）である複数の発光素子（１２１）は、前記表示パネル（１０１）の上辺の背面側に沿って互いに間隔をあけて配列し、それぞれ下方へ光を照射する向きで前記本体（１１０）に取り付けられ、
前記本体（１１０）には、前記各発光素子（１２１）から照射された直接光を前記表示パネル（１０１）の背面側へ拡散反射する光反射面部（１１３）が設けられ、
前記光反射面部（１１３）は、前記各発光素子（１２１）からの直接光の各部分を受けて配光制御する反射面（１１４）を有し、
前記反射面（１１４）には、前記表示パネル（１０１）の垂直方向の配光制御に関して、前記各発光素子（１２１）からの直接光の一部を、前記表示パネル（１０１）の背面のうち表示領域（１０１ａ）の下側部分に集光して反射する反射領域（１１４ａ）が設けられたことを特徴とする表示器（１００）。
【００１１】
［２］前記反射面（１１４）には、前記表示パネル（１０１）の水平方向の配光制御に関して、前記各発光素子（１２１）からの直接光の一部を、前記表示パネル（１０１）の背面のうち各発光素子（１２１）の間に集光して反射する反射領域（１１４ｄ）が、各発光素子（１２１）ごとに対応して設けられたことを特徴とする前記［１］に記載の表示器（１００）。
【００１２】
［３］前記反射面（１１４）は、前記本体（１１０）の上端の背面側で前記発光素子（１２１）の後方より前記本体（１１０）の下端の背面側に向かって連なる放物線の垂直断面形状であり、その上側部分は、前記放物線の途中より後方へ屈曲した別の曲線ないし直線の垂直断面形状であることを特徴とする前記［１］または［２］に記載の表示器（１００）。
【００１３】
［４］前記本体（１１０）における上端側に、前記各発光素子（１２１）からの直接光のうち前記表示パネル（１０１）の背面の上側部分に入射する一部を遮るための遮光部（１１１ｃ）が設けられたことを特徴とする前記［１］，［２］または［３］に記載の表示器（１００）。
【００１４】
［５］前記反射面（１１４）は、金属の蒸着により鏡面加工されていることを特徴とする前記［１］，［２］，［３］または［４］に記載の表示器（１００）。
【００１５】
［６］前記本体（１１０）は、前記表示パネル（１０１）の背面に合わさる正面壁部（１１１）と、該正面壁部（１１１）の周囲を残して背面側へ窪むように設けられた前記光反射面部（１１３）と、該光反射面部（１１３）の上端側にて、前記発光素子（１２１）であるＬＥＤを一列に配列したＬＥＤ基板（１２０）を、前記表示パネル（１０１）の背面と直角となる状態に取り付ける基板取付部（１１５）と、を備えたことを特徴とする前記［１］，［２］，［３］，［４］または［５］に記載の表示器（１００）。
【００１６】
［７］前記表示器（１００）は、歩行者用信号灯器に付帯する押ボタン箱（１０）に備えられ、
前記本体（１１０）は、保持した前記表示パネル（１０１）が、前記押ボタン箱（１０）の前面部（３０）に開設された開口部（３１）に内側から合致した状態で前面部（３０）の裏側に固定され、
前記表示パネル（１０１）に表示する各種情報は、前記歩行者用信号灯器の作動ないし前記押ボタン箱（１０）の操作に関する文字であることを特徴とする前記［１］，［２］，［３］，［４］，［５］または［６］に記載の表示器（１００）。
【００１７】
次に、前述した解決手段に基づく作用を説明する。
前記［１］に記載の表示器（１００）によれば、光源（１２０）である複数の発光素子（１２１）は、本体（１１０）に保持された表示パネル（１０１）の上辺の背面側に沿って互いに間隔をあけて配列する。各発光素子（１２１）は、それぞれ下方へ光を照射する。
【００１８】
各発光素子（１２１）から照射された直接光のうち、光軸より外れた周囲の一部は、そのまま表示パネル（１０１）の背面に斜めに入射する。ただし、各発光素子（１２１）からの直接光の大部分は、本体（１１０）の光反射面部（１１３）によって、表示パネル（１０１）の背面側へ拡散反射する。
【００１９】
光反射面部（１１３）は、各発光素子（１２１）からの直接光の各部分を受けて配光制御する反射面（１１４）を有する。ここで反射面（１１４）には、表示パネル（１０１）の垂直方向の配光制御に関して、各発光素子（１２１）からの直接光の一部を、表示パネル（１０１）の背面のうち表示領域（１０１ａ）の下側部分に集光して反射する反射領域（１１４ａ）が設けられている。
【００２０】
これにより、表示パネル（１０１）の背面のうち発光素子（１２１）に近い表示領域（１０１ａ）の上側部分だけでなく、発光素子（１２１）から遠い表示領域（１０１ａ）の下側部分も、積極的に集光して明るくなるように照度を高めることができる。よって、表示パネル（１０１）の正面より表示する各種情報では、その上下間での照度ムラが解消されて均斉度が向上し、各種情報の視認性を高めることができる。
【００２１】
前記［２］に記載の表示器（１００）では、表示パネル（１０１）の垂直方向の配光制御だけでなく、水平方向の配光制御も行う。すなわち、前記光反射面部（１１３）の反射面（１１４）には、表示パネル（１０１）の水平方向の配光制御に関して、各発光素子（１２１）からの直接光の一部を、表示パネル（１０１）の背面のうち各発光素子（１２１）の間に集光して反射する反射領域（１１４ｄ）が、各発光素子（１２１）ごとに対応して設けられている。
【００２２】
光源（１２０）である発光素子（１２１）の数を、従来の配光無制御の場合に比べて減らすと、数を減らした分だけ広がる各発光素子（１２１）の間の領域では、通常は発光素子（１２１）の指向性の高い照射範囲から外れて明るさが低減する。しかしながら、各発光素子（１２１）の間に、明るさを補うように集光する水平方向の配光制御により、照度低下を回避することができる。よって、表示性能を維持しつつ発光素子（１２１）の数を減らすことが可能となる。
【００２３】
前記［３］に記載の表示器（１００）によれば、前記光反射面部（１１３）の反射面（１１４）は、本体（１１０）の上端の背面側で発光素子（１２１）の後方より本体（１１０）の下端の背面側に向かって連なる放物線の垂直断面形状である。ここで反射面（１１４）における放物線の垂直断面形状の上側部分は、そのまま放物線の延長とせず、放物線の途中より外側へ屈曲した別の曲線ないし直線の垂直断面形状とする。これにより、反射面（１１４）の上側部分における配光効率を高めることができる。
【００２４】
前記［４］に記載の表示器（１００）によれば、前記本体（１１０）における上端側に、各発光素子（１２１）からの直接光のうち表示パネル（１０１）の背面の上側部分に入射する一部を遮るための遮光部（１１１ｃ）を設けた。これにより、表示パネル（１０１）の背面のうち発光素子（１２１）に近い上側部分が、明るくなり過ぎることを回避することができる。
【００２５】
前記［５］に記載の表示器（１００）によれば、前記反射面（１１４）を、金属の蒸着により鏡面加工されたものとする。これにより、反射面（１１４）は一般的な白色塗料とする場合に比べて、反射効率を高めることができ、いっそう容易に配光制御を行うことが可能となる。
【００２６】
前記［６］に記載の表示器（１００）によれば、前記本体（１１０）は、表示パネル（１０１）の背面に合わさる正面壁部（１１１）と、該正面壁部（１１１）の周囲を残して背面側に窪むように設けられた光反射面部（１１３）と、該光反射面部（１１３）の上端側にて、発光素子（１２１）であるＬＥＤを一列に配列したＬＥＤ基板（１２０）を、表示パネル（１０１）の背面と直角となる状態に取り付ける基板取付部（１１５）と、を備えてなる。このような簡易な構成の本体（１１０）によれば、容易に一体成形することができる。
【００２７】
以上のような表示器（１００）は、具体的には例えば前記［７］に記載したように、歩行者用信号灯器に付帯する押ボタン箱（１０）に適用することができる。押ボタン箱（１０）の前面部（３０）には開口部（３１）が開設され、前記本体（１１０）は、保持した前記表示パネル（１０１）が、前記開口部（３１）を前面部（３０）の裏側から塞ぐように合致した状態で固定される。表示パネル（１０１）に表示する各種情報は、歩行者用信号灯器の作動ないし前記押ボタン箱（１０）の操作に関する文字とすることで、歩行者を支援することができる。
【発明の効果】
【００２８】
本発明に係る表示器によれば、表示パネルの垂直方向における均斉度を高くして表示内容の視認性をいっそう向上させることができ、また、表示性能を維持しつつ、簡易な構成により光源数を減らしてコストを低減することができる。
【図面の簡単な説明】
【００２９】
【図１】本発明の実施の形態に係る表示器を正面側から見た分解斜視図である。
【図２】本発明の実施の形態に係る表示器を背面側から見た分解斜視図である。
【図３】本発明の実施の形態に係る表示器の本体を示す正面図である。
【図４】本発明の実施の形態に係る表示器の本体を示す背面図である。
【図５】本発明の実施の形態に係る表示器の本体を示す平面図である。
【図６】本発明の実施の形態に係る表示器の本体を示す底面図である。
【図７】本発明の実施の形態に係る表示器の本体を示す右側面図である。
【図８】図４のVIII−VIII線拡大断面図（ａ）と、光反射面部の反射面の縦断面形状を模式的に示した説明図（ｂ）である。
【図９】本発明の実施の形態に係る表示器の本体におけるＬＥＤの配置を示す平面図である。
【図１０】図３のX−X線拡大断面図である。
【図１１】図１０のＡ部拡大図である。
【図１２】本発明の実施の形態に係る表示器のＬＥＤ基板を示す正面図である。
【図１３】本発明の実施の形態に係る表示器のＬＥＤ基板を示す底面図である。
【図１４】本発明の実施の形態に係る表示器の本体の光反射面部における反射面の各反射領域を示す説明図である。
【図１５】本発明の実施の形態に係る表示器の本体の光反射面部による垂直方向の配光制御を従来技術と比較して示す説明図である。
【図１６】本発明の実施の形態に係る表示器の本体の光反射面部による水平方向の配光制御を従来技術と比較して示す説明図である。
【図１７】本発明の実施の形態に係る表示器の光反射面部における横断反射領域の変形例を拡大して示す横断面図（ａ）と、この変形例による水平方向の配光制御を示す説明図（ｂ）である。
【図１８】本発明の実施の形態に係る表示器を前面ケースに取り付ける状態を後側から見た分解斜視図である。
【図１９】本発明の実施の形態に係る表示器を前面ケースに取り付ける状態を前側から見た分解斜視図である。
【図２０】本発明の実施の形態に係る表示器の表示パネルの印刷を示す背面図である。
【図２１】本発明の実施の形態に係る表示器の表示パネルの印刷を模式的に示す説明図である。
【図２２】本発明の実施の形態に係る表示器のパッキンを示す正面図である。
【図２３】本発明の実施の形態に係る表示器のパッキンを示す背面図である。
【図２４】本発明の実施の形態に係る表示器のパッキンを示す側面図である。
【図２５】図２３のXVI−XVI線の拡大断面図である。
【図２６】本発明の実施の形態に係る表示器を取り付ける押ボタン箱を示す斜視図である。
【図２７】本発明の実施の形態に係る表示器を取り付ける押ボタン箱の変形例を示す斜視図である。
【図２８】従来の表示器を前面ケースに取り付ける状態を後側から見た分解斜視図である。
【図２９】従来の表示器を背面側から見た分解斜視図である。
【発明を実施するための形態】
【００３０】
以下、図面に基づき、本発明を代表する実施の形態を説明する。
図１〜図２７は、本発明の実施の形態を示している。
本実施の形態に係る表示器１００は、光源からの光を受けて発光し各種情報を正面に表示する表示パネル１０１と、該表示パネル１０１を背面側から保持すると共に光源を取り付ける本体１１０と、を備えたものである。以下、表示器１００を、歩行者用信号灯器に付帯する押ボタン箱１０に適用した例について説明する。
【００３１】
押ボタン箱１０は、歩行者用信号灯器における作動を指示するものである。ここで歩行者用信号灯器は、図示省略したが一般道路の交差点等に設置された各車両用信号灯器に、それぞれ対応して横断歩道の両端等に設置される。押ボタン箱１０は、歩行者用信号灯器ごとに近くの電信柱等の支持体に固定される。押ボタン箱１０の前面部に、歩行者用信号灯器の作動ないし押ボタン箱の操作に関する各種情報を表示する表示器１００が設けられている。
【００３２】
押ボタン箱１０は、図２６に示すように、各種構成部品を収納する筐体１１を本体とする。筐体１１は、その背面側を含み前面側が開口したベース本体２０と、該ベース本体２０の開口を前方から覆うように組み合わされた前面ケース３０とから成る。ベース本体２０や前面ケース３０は、例えば、ポリカーボネート等の樹脂材料から成形されている。前面ケース３０は筐体１１の前面部となり、その略中央にスイッチ（押ボタン）４０が設けられ、スイッチ４０の上方に表示器１００が設けられている。
【００３３】
図１８，図１９に示すように、前面ケース３０の上部には、表示器１００の表示パネル１０１の正面を裏側から合致させる開口部３１が開設されている。開口部３１は、表示器１００の表示パネル１０１よりも一回り小さい横長矩形に開設されている。前面ケース３０の裏側で開口部３１の周縁には、表示パネル１０１の正面の周縁がパッキン１３０を介して当接する。
【００３４】
図１，図２に示すように、表示器１００は、ディスプレイである表示パネル１０１と、該表示パネル１０１を背面側から保持する本体１１０と、光源であるＬＥＤ基板１２０とを備えている。表示パネル１０１は、光源からの光を受けて発光し各種情報を表示するものである。表示パネル１０１は、正面視で両側方向に長い横長矩形であり、例えば、ポリカーボネート等の透光性材質から所定の厚さの板状に形成されている。ここで透光性材質とは、光の透過率が極めて高い透明な材質だけでなく、透明よりも光の透過率が低いものも含まれる。
【００３５】
表示パネル１０１の上端縁（上辺）の両側の角隅は、上下の方向性を認知させるために切り欠かれている。また、表示パネル１０１の上端縁の一端側には、上方に突出した位置決め片１０２が設けられている。さらに、表示パネル１０１の両側端には、それぞれ中央に向かって半円形に凹む一対の溝部１０３，１０３が設けられている。これら位置決め片１０２や溝部１０３について詳しくは後述する。
【００３６】
表示パネル１０１の正面は、そのまま表示器１００の表示面となり、表示パネル１０１の背面には、光源であるＬＥＤ基板１２０からの光によって表示する表記情報が直接印刷されている。ここで表記情報とは、表示パネル１０１の正面に表示する各種情報のうち、予め定められて記された文字等である。例えば、本実施の形態における表記情報は、歩行者用信号灯器の赤色点灯に応じて歩行者に待機を指示する「おまちください」の文字である。
【００３７】
表示パネル１０１の背面における表記情報の印刷は、例えば、孔版をスクリーンとして表示パネル１０１の背面を覆い、孔からインクを付けて印刷するシルク印刷が好適である。図２０に示すように、表示パネル１０１の背面には、表記情報である文字部分にのみ光が透過し、他の部分（図中の斜線ハッチング）には光が透過しないように、他の部分に遮光性インク１０５が塗られている。遮光性インク１０５は、例えば黒色インクが該当する。
【００３８】
このように、表示パネル１０１の背面における印刷は、遮光性インク１０５が乗る画線部と、遮光性インク１０５が乗らない非画線部との境界によって、文字部分が象られている。本実施の形態では、文字部分のみ光るように、この文字部分を光が透過する非画線部とし、他の部分を光が透過しない画線部としている。かかる場合、文字部分のみが光って浮かび上がるように表示することができる。
【００３９】
図２１に示すように、表示パネル１０１の背面には、遮光性インク１０５の下層に重なり画線部と非画線部との境界を少なくともなぞる下地として、ＬＥＤ１２１の消灯時の画線部と非画線部との輝度の比を小さくする中性色インク１０４も塗られている。中性色インク１０４は、遮光性インク１０５と表示パネル１０１自体の地色との中間の色彩であって、ある程度光が透過するものが好ましい。例えば、表示パネル１０１が、ブルースモークと称される光透過率が２０％程度の青味がかった黒っぽい色の透光性材質である場合、遮光性インク１０５が黒色インクであれば、中性色インク１０４は、灰色インクが該当する。
【００４０】
また、表示パネル１０１の背面には、遮光性インク１０５の上層（図２１中では下側）に重なり画線部を越えない範囲で、ＬＥＤ基板１２０からの光を反射させる光反射性インク１０６が塗られている。光反射性インク１０６は、例えば白色インクが該当する。さらに、表示パネル１０１の背面には、画線部および非画線部を含む全域で、光反射性インク１０６の上層に重ねて、ＬＥＤ基板１２０からの光を拡散させる光拡散性インク１０７も塗られている。光拡散性インク１０７は、例えば、シリコンパウダー等の光拡散顔料を含むインクである。
【００４１】
表示器１００の本体１１０は、前記表示パネル１０１を背面側から保持すると共に、光源であるＬＥＤ基板１２０を取り付けるものである。図３〜図７に示すように、本体１１０は、前記表示パネル１０１の背面に合わさる正面壁部１１１と、この正面壁部１１１の周囲を残して背面側に窪むように設けられた光反射面部１１３と、該光反射面部１１３の上端側にて、ＬＥＤ基板１２０を表示パネル１０１の背面と直角となる略水平な状態に取り付ける基板取付部１１５とを備えている。本体１１０は、例えば、ポリカーボネート等の樹脂材料から形成されている。
【００４２】
正面壁部１１１は、前記表示パネル１０１の背面に合致するように、正面視で両側方向に長い横長矩形であり、その上端縁の両側の角隅は、表示パネル１０１と同様に上下の方向性を認知させるために切り欠かれている。正面壁部１１１の外周縁に沿って、所定幅で前方へ延出するフランジ１１２が設けられ、本体１１０は、表示パネル１０１が背面側から収まる底浅なケース状をなしている。正面壁部１１１には、表示パネル１０１の正面のうち表記情報を囲む表示領域１０１ａ（図２０参照）を背面側から縁取る横長矩形の開口部１１１ａが設けられている。光反射面部１１３は、開口部１１１ａの内側で背面側に窪むように設けられている。
【００４３】
正面壁部１１１の上端縁に沿ったフランジ１１２の一端側には、位置決め切欠１１２ａが設けられている。この位置決め切欠１１２ａは、前記表示パネル１０１の上端縁の一端側にある位置決め片１０２が合致することで、本体１１０に対して表示パネル１０１の表裏が逆向きになることを防ぐための位置決めとなる。また、正面壁部１１１の両側端には、前記表示パネル１０１にある溝部１０３に合致するように、それぞれフランジ１１２も含め中央側に半円形に切り欠かれて凹む一対の溝部１１６，１１６が設けられている。
【００４４】
また、正面壁部１１１の上端縁と下端縁に沿った上下のフランジ１１２の先端縁には、両側方向に間隔をあけて並び、横長直線状に前方へ突出した複数の押さえリブ１１７が設けられている。各押さえリブ１１７は、後述するパッキン１３０にあるスリット１３４に嵌合して位置ずれを防止するための部位である。さらに、正面壁部１１１の下端縁に沿って、フランジ１１２とは逆向きの後方へ所定幅で延出する補強片１１８が設けられている。補強片１１８の上面と、次述する光反射面部１１３の背面壁との間には、両側方向に間隔をあけて並び、それぞれ上下間に連なる複数の補強リブ１１９も設けられている。
【００４５】
光反射面部１１３は、ＬＥＤ基板１２０の下面に一列に配列された各ＬＥＤ１２１からの直接光を前記表示パネル１０１の背面側へ拡散反射するための部位である。光反射面部１１３は、後述の基板取付部１１５の後端側より下方へ湾曲して延び、その下端は前記開口部１１１ａの下端縁に連なっている。かかる光反射面部１１３の内側正面は、各ＬＥＤ１２１からの直接光の各部分を受けて、前記表示パネル１０１の背面に向けて配光制御する反射面１１４となっている。
【００４６】
反射面１１４には、光を反射させる光反射性塗料として、一般に白色塗料が塗布されるが、金属の蒸着により鏡面加工すれば、いっそう容易に配光制御を行うことが可能となる。反射面１１４は基本的には、本体１１０の上端の背面側でＬＥＤ１２１の後方より本体１１０の下端の背面側に向かって連なる放物線の垂直断面形状であるが、表示パネル１０１の垂直方向および水平方向に自由曲面で配光制御する複数の反射領域に区画されている。
【００４７】
図１４に示すように、反射面１１４には、表示パネル１０１の垂直方向の配光制御に関して、各ＬＥＤ１２１からの直接光の一部を、表示パネル１０１の背面のうち表示領域１０１ａの下側部分に集光して反射する下段反射領域１１４ａが設けられている。下段反射領域１１４ａは、特に表示パネル１０１のうち表示領域１０１ａの下側部分に反射光を集光するように光学設計され（図１５（ａ）参照）、図８（ａ）に示した放物線状の垂直断面形状となっている。
【００４８】
下段反射領域１１４ａの上側には、上段反射領域１１４ｂが連なっている。上段反射領域１１４ｂは、図８（ａ）に示すように、下段反射領域１１４ａと同一の放物線上に連なる垂直断面形状であるが、各ＬＥＤ１２１からの直接光を表示領域１０１ａの主に中段付近に拡散反射するように光学設計されている（図１５（ａ）参照）。なお、下段反射領域１１４ａが反射光を集光する表示領域１０１ａの下側部分とは、表示パネル１０１の背面のうち、正面壁部１１１の開口部１１１ａで縁取られた内側の下側部分であり、正面壁部１１１の周縁に重なる開口部１１１ａの下端より下方の部位ではない。
【００４９】
上段反射領域１１４ｂの上側部分は、そのまま同一の放物線に沿う垂直断面形状ではなく、放物線の途中より後方へ屈曲した別の曲線ないし直線の垂直断面形状に設けられている。図８（ａ），（ｂ）に示すように、上段反射領域１１４ｂの上側部分は、鉛直線が反射面１１４の内側から交差し得る上限となる境付近より、上端反射領域１１４ｃとして、鉛直線と平行ないし背面側にさらに屈曲する断面形状に設けられている。上端反射領域１１４ｃの具体的な断面形状は、図８（ａ），（ｂ）に示した例では鉛直線とほぼ平行な直線状であるが、直線に限らず別の放物線等の曲線であっても良い。
【００５０】
さらに、図１４に示すように、反射面１１４には、表示パネル１０１の水平方向の配光制御に関して、各ＬＥＤ１２１からの直接光の一部を、表示パネル１０１の背面のうち各ＬＥＤ１２１の間に集光して反射する横断反射領域１１４ｄが、各ＬＥＤ１２１ごとに対応して設けられている。横断反射領域１１４ｄは、特に表示パネル１０１のうち正面視で各ＬＥＤ１２１の間となる中間領域に反射光を集光するように光学設計され（図１６（ａ）参照）、図１０，図１１に示した楕円状の水平断面形状となっている。
【００５１】
図９に示すように、本実施の形態では、正面壁部１１１の上端縁の背面側に沿って合計４個のＬＥＤ１２１が互いに間隔をあけて配列している。これらの４個のＬＥＤ１２１に対応して、同じく４つの横断反射領域１１４ｄが横方向に繰り返し並ぶように設けられている。ここで各ＬＥＤ１２１の光軸は、反射面１１４の水平方向では、各横断反射領域１１４ｄの両側方向の中央に上から入射するように設定されている。
【００５２】
図１４に示すように、反射面１１４において、横列に並ぶ４つの横断反射領域１１４ｄと、縦列に並ぶ下段反射領域１１４ａ、上段反射領域１１４ｂ、および上端反射領域１１４ｃとは、それぞれ反射領域の一部として重複している。すなわち、横断反射領域１１４ｄにおいて、下半側は下段反射領域１１４ａでもあり、上半側は上段反射領域１１４ｂおよび上端反射領域１１４ｃでもある。
【００５３】
図８（ａ）に示すように、本体１１０における上端側には、各ＬＥＤ１２１からの直接光のうち前記表示パネル１０１の背面の上側部分に入射する一部を遮るための遮光部１１１ｃが設けられている。本実施の形態では、開口部１１１ａの上端に対して、その後方でＬＥＤ基板１２０は上方に引っ込む状態に配される。そのため、各ＬＥＤ１２１の前方には、開口部１１１ａの上端が段差となって塞がり、かかる段差がそのまま遮光部１１１ｃとなっている。
【００５４】
遮光部１１１ｃにより直接光の入射が遮られる表示パネル１０１の上側部分とは、正面壁１１１の周縁に重なる開口部１１１ａの上端より上方の部位だけではなく、前述した開口部１１１ａの上端と各ＬＥＤ１２１の高さとの段差により、直接光の入射が遮られる表示領域１０１ａの上端側も含まれている。なお、遮光部１１１ｃを、開口部１１１ａの上端とは別に、該上端より下方へ延出する突片として設けても良い。
【００５５】
図１，図２に示すように、本体１１０にある基板取付部１１５は、正面壁部１１１の背面側で、開口部１１１ａの上端より後方へ所定幅で水平に延出する台座状に形成されている。基板取付部１１５に取り付けられたＬＥＤ基板１２０は、ＬＥＤ１２１のある下面が正面壁部１１１の背面側で表示パネル１０１の背面と直交し、光反射面部１１３に対して上方向から光を照射するように配置されている。図５に示すように、基板取付部１１５には、次述するＬＥＤ基板１２０にある各ＬＥＤ１２１に対向する位置に、各ＬＥＤ１２１の光を下方へ照射するための透過孔１１５ｄが開設されている。
【００５６】
図１２，図１３に示すように、ＬＥＤ基板１２０は、両側方向に長い横長矩形であり、その下面に表面実装型のチップ状ＬＥＤ１２１が所定間隔おきに複数配列している。本実施の形態におけるＬＥＤ１２１の数は４個であり、従来のＬＥＤ基板６（図２９参照）における６個よりも少ない。ＬＥＤ１２１自体は、一般的であるので詳細な説明は省略するが、ＬＥＤ基板１２０の下面に対して直交する光軸を中心に所定角度の照射範囲で光を出射するものである。ＬＥＤ１２１の発光色は任意に選択できる。ＬＥＤ基板１２０は、その下面が実装面であり、ＬＥＤ１２１、その配線回路や抵抗の他、コネクタ１２２等が配置されている。
【００５７】
ＬＥＤ基板１２０におけるＬＥＤ１２１等の関連部品の配置は、下面だけに集中した片面実装となっている。また、各ＬＥＤ１２１の具体的な配置は、互いに均等に並ぶ状態に限られることなく、例えば光反射面部１１３の両端部における輝度低下を防ぐために、ＬＥＤ基板１２０の両端部に若干寄せた配置としても良い。なお、ＬＥＤ１２１には、例えばコーティング剤を塗布する等の硫化（ガス）対策を施すと良い。
【００５８】
ＬＥＤ基板１２０を本体１１０の基板取付部１１５に取り付けるには、スナップフィットによる係合が用いられる。すなわち、図１，図８（ａ）に示すように、基板取付部１１５の前端側が連なる正面壁部１１１の上端背面側には、ＬＥＤ基板１２０の前端縁を沿わせた際に係止できる引掛爪１１１ｂが設けられている。一方、引掛爪１１１ｂと対向する基板取付部１１５の後端側には、断面Ｌ字形で上向きの突片１１５ａが設けられており、この突片１１５ａの略中央に、スナップフィットによりＬＥＤ基板１２０の後端縁にある切欠溝１２３に係合する係止爪１１５ｂが設けられている。
【００５９】
また、ＬＥＤ基板１２０の前端縁の一端には、基板取付部１１５の前端側にある位置決め突起１１５ｃに係合することで、ＬＥＤ基板１２０の前後の正しい取り付け向きに規制する位置決め切欠１２４が設けられている。なお、図４に示すように、基板取付部１１５の前端側が連なる正面壁部１１１の背面側上部には、互いに間隔をあけて上下方向に延びる突条のリブ１１１ｄが２箇所に設けられている。各リブ１１１ｄに対してＬＥＤ基板１２０の前端縁が当接することで、この前端縁の両端の角がＬＥＤ基板１２０の前端縁の両端のアール面に干渉することを避けることができる。
【００６０】
図１８，図１９に示すように、表示パネル１０１の正面の周囲と前面ケース３０の内壁との間には、防水性を高めるパッキン１３０が介装される。図２２〜図２５に示すように、パッキン１３０は、表示パネル１０１の正面から被さるカバー状に形成され、予め表示パネル１０１の周囲に被せた状態に仮止め可能である。パッキン１３０は、表示パネル１０１の周囲に沿って被さる枠組状であり、例えば、シリコンやブチルゴム等の弾性材質から形成される。
【００６１】
パッキン１３０は、前記表示パネル１０１の正面に合致する形状の正面壁部１３１を備えている。正面壁部１３１は、前記表示パネル１０１と同様に、正面視で両側方向に長い横長矩形であり、その上端縁の両側の角隅は、表示パネル１０１に合わせて切り欠かれている。正面壁部１３１の外周縁に沿って、所定幅で後方へ延出するフランジ１３２が設けられ、表示パネル１０１の正面側から被さるカバー状となっている。フランジ１３２が周回方向で折れ曲がる角隅には、表示パネル１０１を収めた本体１１０の角隅に背面側より被さるストッパ片１３２ａが設けられている。
【００６２】
正面壁部１３１には、表示パネル１０１の正面のうち前記文字部分を囲む表示領域を正面側から縁取る横長矩形の開口部１３１ａが設けられている。パッキン１３０の両側端には、前記表示パネル１０１や本体１１０の溝部１０３等に合致するように、それぞれ中央側に半円形に凹む一対の溝部１３３，１３３が設けられている。また、正面壁部１３１の上端側と下端側には、両側方向に間隔おいて並ぶ複数の横長直線状のスリット１３４が設けられている。各スリット１３４は、前記本体１１０の正面壁部１１１にある押さえリブ１１７が嵌合して、互いの位置ずれを防止するものである。
【００６３】
また、正面壁部１３１の正面側には、開口部１３１ａを縁取るように周回する水切り山であるリップ１３５が設けられている。同様に、パッキン１３０の背面側にも、開口部１３１ａを縁取るように周回する水切り山であるリップ１３６が設けられている。表示器１００の取付時に、正面側のリップ１３５は、前面ケース３０の内壁と線接触して、前面ケース３０とパッキン１３０との間の防水性を高める。背面側のリップ１３６は、表示パネル１０１の正面と線接触して、表示パネル１０１とパッキン１３０との間の防水性を高める。
【００６４】
次に、押ボタン箱１０における表示器１００の作用について説明する。  
本表示器１００によれば、図８（ａ），図９に示すように、ＬＥＤ基板１２０は、本体１１０の基板取付部１１５に略水平な状態で下向きに取り付けられる。ＬＥＤ基板１２０の下面に実装された各ＬＥＤ１２１は、本体１１０の正面側に保持された表示パネル１０１の上端縁の背面側に沿って、互いに間隔をあけて配列する。図１５（ａ）に示すように、各ＬＥＤ１２１は下方へ光を照射し、それぞれの光軸は表示パネル１０１の背面と平行に垂下する。
【００６５】
これにより、ＬＥＤ１２１の指向性の強い光軸近くの光が、表示パネル１０１の背面と交差することはない。すなわち、ＬＥＤ１２１からの直接光が、表示パネル１０１に対して局所的に強く入射することはない。従って、各ＬＥＤ１２１と表示パネル１０１との間の距離を短くしても、表示パネル１０１の正面に照度ムラが生じにくく、本体１１０全体の厚み（奥行き寸法）を薄型化することが可能となる。
【００６６】
図１５（ａ）において、ＬＥＤ１２１から照射された直接光のうち、光軸より外れた周囲の一部は、図中に実線で示したように表示パネル１０１の背面に斜めに入射する。ＬＥＤ１２１からの直接光の大部分は、本体１１０の光反射面部１１３によって、図中に破線で示したように表示パネル１０１の背面側へ拡散反射する。このように、光反射面部１１３からの反射光によって、表示パネル１０１の表示領域１０１ａにおける光強度の分布は均一化される。
【００６７】
ただし、図１５（ｂ）に比較のために示した従来の表示器４のように、ＬＥＤから下方へ向かう光を単に側方へ方向転換するだけの配光制御では、ＬＥＤに近い表示パネルの上部ほど明るく、ＬＥＤから遠い表示パネルの下部では暗くなる傾向が強かった。
そこで、本表示器１００では、光反射面部１１３の反射面１１４に、表示パネル１０１の垂直方向の配光制御に関して、各ＬＥＤ１２１からの直接光の一部を、特に図１５（ａ）中に太い破線で示した方向へ集光して反射する下段反射領域１１４ａを設けた。
【００６８】
このような下段反射領域１１４ａによって、表示パネル１０１の背面のうちＬＥＤ１２１から遠い表示領域１０１ａの下側部分も、積極的に集光して明るくなるように照度を高めることができる。よって、表示パネル１０１の正面より表示する文字部分では、その上下間での照度ムラが解消されて均斉度が向上し、文字部分の視認性を高めることができ、文字が読みやすくなる。また、長期使用によってＬＥＤ１２１の光束維持率（明るさ）が低下しても、文字部分の下部の視認性を維持することができる。
【００６９】
さらに、本表示器１００では、表示パネル１０１の垂直方向の配光制御だけではなく、ＬＥＤ１２１の光軸と直交する水平方向の配光制御も行う。すなわち、光反射面部１１３の反射面１１４に、各ＬＥＤ１２１からの直接光の一部を、特に図１６（ａ）中に太い破線で示した方向へ集光して反射する横断反射領域１１４ｄを設けた。横断反射領域１１４ｄからの反射光は、表示パネル１０１の背面のうち各ＬＥＤ１２１の間となる中間領域に集光することになる。
【００７０】
図１６（ｂ）に比較のために示した従来の表示器４では、表示パネルの水平方向における配光は、ＬＥＤ基板上にＬＥＤを狭い間隔で密に配列（図中では６個）することで行っていた（配光無制御）。ここでＬＥＤ基板におけるＬＥＤの数をコスト低減のために減らすと、数を減らした分だけ幅が広がる各ＬＥＤの間の中間領域では、通常はＬＥＤの指向性の高い照射範囲から外れて明るさが低減する。
【００７１】
しかしながら、本表示器１００では、横断反射領域１１４ｄによる水平方向の配光制御によって、特に各ＬＥＤ１２１の間の明るさを補うように集光することで、局所的な照度低下を回避することができる。よって、従来の表示器４と同等以上の表示性能を維持しつつ、ＬＥＤ１２１の数を減らすことが可能となり、その分製品コストを低減することができる。
【００７２】
また、図１７（ａ）に示すように、表示パネル１０１の背面において各ＬＥＤ１２１から一番近いのは、各ＬＥＤ１２１の光軸が垂下する各横断反射領域１１４ｄの両側方向の中央に正面視で重なる近接領域である。かかる近接領域には、各ＬＥＤ１２１間の中間（各横断反射領域１１４ｄ間の境界）に正面視で重なる中間領域よりも、ＬＥＤ１２１からの直接光が強く当たる。よって、図１１に示した横断反射領域１１４ｄの変形例として、横断反射領域１１４ｄの水平断面形状の中央に、上下に延びる凸部１１４ｅを設けた自由曲面としても良い。
【００７３】
凸部１１４ｅは、その頂端より左右に緩やかに湾曲して、表示パネル１０１における前記近接部位へのＬＥＤ１２１からの反射光が集中することを防止する。このような凸部１１４ｅを設けたことにより、図１７（ｂ）に示すように、ＬＥＤ１２１からの反射光を図中に太い破線で示した左右方向へ集光し、表示パネル１０１における照度をよりいっそう均一化して均斉度を高めることができる。なお、図１７（ｂ）は、正面視に近い斜視図であり、正面視より若干斜め前方の下側から見た反射光の光線を模式的に示している。図１６についても同様である。
【００７４】
ところで、光反射面部１１３の反射面１１４は、基本的には、本体１１０の上端の背面側で各ＬＥＤ１２１の配列の後方より本体１１０の下端の背面側に向かって連なる放物線の垂直断面形状である。この放物線の上端部分が、図８（ｂ）に示すように、ＬＥＤ１２１の光軸と平行な鉛直線が外側から交差するように内側へ迫り出す状態であると、ＬＥＤ１２１からの直接光を受け入れ難い。また、本体１１０を樹脂で一体成形する場合に、本体１１０を図８（ａ）に示す姿勢で垂直方向に型抜きすると、放物線の上端部分がアンダーカットとなる。
【００７５】
そこで、反射面１１４における放物線の垂直断面形状の上側部分は、そのまま放物線の延長とせず、放物線の途中より後方へ屈曲した別の曲線ないし直線の垂直断面形状とする。このとき、ＬＥＤ１２１の光軸と平行な鉛直線が、反射面１１４の上側部分の外側ではなく内側から交差ないし平行となる断面形状にすると良い。これにより、反射面１１４の上側部分に入る直接光を少しでも増やすことで、配光効率を高めることができる。また、本体１１０の成形時におけるアンダーカットを回避して、容易に製造することも可能となる。
【００７６】
また、図８（ａ）に示すように、本体１１０における上端側では、開口部１１１ａの上端の段差が遮光部１１１ｃとなり、各ＬＥＤ１２１からの直接光のうち表示パネル１０１の背面の上側部分に入射する一部を遮ることになる。これにより、表示パネル１０１の背面のうちＬＥＤ１２１に近い上側部分が、局所的に明るくなり過ぎることを回避することができる。その他、反射面１１４を、金属の蒸着により鏡面加工すれば、一般的な白色塗料の場合に比べて、反射効率を高めることができ、いっそう容易に配光制御を行うことができる。
【００７７】
図２０に示すように、表示パネル１０１では、その背面に表記情報である文字を直接印刷している。これにより、図２９に示すように、従来は表示パネル５と別部品であった印刷シート５ａが不要となり、表示器１００の部品点数や組付工数が削減される。また、表示パネル１０１自体に印刷した文字は、印刷シート５ａの場合のように位置ずれする虞もない。本実施の形態では、ＬＥＤ基板１２０からの直接光ないし光反射面部１１３からの反射光が表示パネル１０１の背面より入射すると、遮光性インク１０５が塗られた画線部では光の透過が遮られ、文字部分のみが光って表示することができる。
【００７８】
表示パネル１０１の背面には、遮光性インク１０５の下層に重なり画線部と非画線部との境界をなぞる下地として、中性色インク１０４も塗られている。これにより、ＬＥＤ１２１の消灯時には、画線部（遮光性インク１０５）と非画線部（表示パネル１０１の地色）との境界における両者のコントラスト比が、この境界を覆う中性色インク１０４によって小さく抑えられる。従って、画線部と非画線部の境界線が目立たなくなり、表示パネル１０１の表面から文字が見え難く、誤認知を防ぐことができる。
【００７９】
また、表示パネル１０１の背面には、遮光性インク１０５の上層に重なり文字部分を越えない範囲で、ＬＥＤ１２１からの光を反射させる光反射性インク１０６が塗られている。これにより、ＬＥＤ１２１の点灯時に、表示パネル１０１の背面で光を透過させる文字部分（非画線部）以外の他の部分（画線部）では、ＬＥＤ１２１からの光は背面側へ反射され、この反射光が光反射面部１１３により反射されて、再び表示パネル１０１の背面に入射するので、ＬＥＤ１２１からの光を無駄なく使用することができる。
【００８０】
さらに、表示パネル１０１の背面には、画線部および非画線部を含む表示領域の全域で、光反射性インク１０６の上に重ねて、ＬＥＤ１２１からの光を拡散させる光拡散性インク１０７も塗られている。これにより、表示パネル１０１の背面における印刷の最上層にて、入射した光がなるべく均等になるように拡散させることができる。また、表示パネル１０１の表面側から、その奥上方にあるＬＥＤ基板１２０が透けて見えることを防ぎ、表示器１００の外観品質を向上させることができる。
【００８１】
以上のような表示器１００は、図２６に示すように、歩行者用信号灯器に付帯する押ボタン箱１０に適用される。押ボタン箱１０の前面ケース３０には開口部３１が開設されており、表示器１００は、前記開口部３１を前面ケース３０の裏側から表示パネル１０１で塞ぐように取り付けられる。表示パネル１０１に表示する表記情報は、歩行者用信号灯器の作動ないし前記押ボタン箱１０の操作に関する文字とすることで、歩行者を支援することができる。
【００８２】
次に、図１８，図１９に基づき、表示器１００の組み立てについて説明する。
表示パネル１０１は、その背面側から本体１１０の正面壁部１１１の内側に嵌め込むように取り付ける。この時、表示パネル１０１の正面が表側となる状態でのみ、表示パネル１０１の位置決め片１０２が本体１１０の位置決め切欠１１２ａに合致するため、表示パネル１０１の表裏が逆向きになることを防ぐことができる。
【００８３】
ＬＥＤ基板１２０を本体１１０に取り付けるには、ＬＥＤ基板１２０の前端縁を、基板取付部１１５の前端側に向けて斜め下方に傾けながら引掛爪１１１ｂに係止する。そして、ＬＥＤ基板１２０の前端縁を支点として後端縁を下方へ水平になるまで押し込む。すると、ＬＥＤ基板１２０の後端縁にある切欠溝１２３に対して、基板取付部１１５の後端側にある係止爪１１５ｂが噛み合ってスナップフィットにより係合し、ＬＥＤ基板１２０は基板取付部１１５に固定される。なお、ＬＥＤ基板１２０を外す時は、係止爪１１５ｂを内側から押して切欠溝１２３から離脱させれば良い。
【００８４】
続いて、パッキン１３０を、表示パネル１０１の正面側から装着する。パッキン１３０は、表示パネル１０１の正面から被さるカバー状であり、予め表示パネル１０１および本体１１０の正面壁部１１１の周囲に被せた状態に仮止めすることができる。特に、パッキン１３０のフランジ１３２の角隅にはストッパ片１３２ａがあり、各ストッパ片１３２ａが表示パネル１０１を収めた本体１１０の角隅に背面側より被さる。よって、パッキン１３０が表示パネル１０１から容易に離脱することはない。
【００８５】
このように、組み立てが完了した表示器１００は、図１８に示すように、押ボタン箱１０の前面ケース３０にある開口部３１に対して、前面ケース３０の裏側から表示パネル１０１を合致させる。この時、パッキン１３０、表示パネル１０１、それに本体１１０の両側端にある溝部１３３，１０３，１１６は、前面ケース３０にあるネジ止め用のボス３２に嵌合する。かかる状態で、表示器１００の両側端をネジ５で固定する。
【００８６】
なお、押ボタン箱１０の内部には、図示省略したが制御基板も収納されており、この制御基板に格納された所定プログラムに従って、表示器１００の表示を含む押ボタン箱１０の各種機能は制御される。表示器１００は、例えば交通信号制御機から送出される表示駆動信号により点灯するように制御されるが、歩行者用信号灯器の作動に関する各種情報を表示可能に構成しても良い。
【００８７】
図２６，図２７に示すように、押ボタン箱１０の前面ケース３０には、上下に２つの開口部３１が設けられており、表示器１００は、上側の開口部３１に対して固定されている。下側の開口部３１は、図２６に示したように、表示板３５によって塞がれている。ただし、図２７に示したように、下側の開口部３１にも、もう一つの表示器１００を取り付けるように構成しても良い。
【００８８】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、表示器１００は、押ボタン箱１０に限定されることなく、他の様々に分野において活用することができる。また、光反射面部１１３の反射面１１４に含まれる反射領域１１４ａ〜１１４ｄの具体的な断面形状は、図示したものに限定されることはない。
【産業上の利用可能性】
【００８９】
本発明に係る表示器は、歩行者用信号灯器に付設される押ボタン箱の他にも、様々な分野で幅広く利用することができる。
【符号の説明】
【００９０】
１０…押ボタン箱
１１…筐体
２０…ベース本体
３０…前面ケース
３１…開口部
１００…表示器
１０１…表示パネル
１１０…本体
１１１…正面壁部
１１２…フランジ
１１３…光反射面部
１１４…反射面
１１４ａ…下段反射領域
１１４ｂ…上段反射領域
１１４ｃ…上端反射領域
１１４ｄ…横断反射領域
１１５…基板取付部
１２０…ＬＥＤ基板
１２１…ＬＥＤ
１３０…パッキン
【図１】
2018067129.tif 000003
【図２】
2018067129.tif 000004
【図３】
2018067129.tif 000005
【図４】
2018067129.tif 000006
【図５】
2018067129.tif 000007
【図６】
2018067129.tif 000008
【図７】
2018067129.tif 000009
【図８】
2018067129.tif 000010
【図９】
2018067129.tif 000011
【図１０】
2018067129.tif 000012
【図１１】
2018067129.tif 000013
【図１２】
2018067129.tif 000014
【図１３】
2018067129.tif 000015
【図１４】
2018067129.tif 000016
【図１５】
2018067129.tif 000017
【図１６】
2018067129.tif 000018
【図１７】
2018067129.tif 000019
【図１８】
2018067129.tif 000020
【図１９】
2018067129.tif 000021
【図２０】
2018067129.tif 000022
【図２１】
2018067129.tif 000023
【図２２】
2018067129.tif 000024
【図２３】
2018067129.tif 000025
【図２４】
2018067129.tif 000026
【図２５】
2018067129.tif 000027
【図２６】
2018067129.tif 000028
【図２７】
2018067129.tif 000029
【図２８】
2018067129.tif 000030
【図２９】
2018067129.tif 000031